(57)【要約】      （修正有）【課題】振動等によるボルトの脱落が生じても、漏電を防止できる電線接続構造を提供することを目的とする。【解決手段】複数の電線が接続され当該電線を連絡又は分岐させる電線接続構造であって、上部に開口を有する容器状に形成された筐体２と、下面と上面とを挿通する挿通孔１４，１５を備え筐体２の底部７に取り付けられた台座と、台座の上面に配置され挿通孔１４，１５の下方から挿入されたボルト３０により台座３に固定された連絡板と、連絡板に接続された複数の電線とを備えた電線接続構造において、挿通孔１４，１５は台座の下面側の大径部１７と上面側の小径部１７とを有し、小径部１７内に絶縁部材２０を配置したことを特徴とする。【選択図】図２
2014032764.tif 000002
【特許請求の範囲】
【請求項１】
複数の電線が接続され当該電線を連絡又は分岐させる電線接続構造であって、上部に開口を有する容器状に形成された筐体と、下面と上面とを挿通する挿通孔を備え前記筐体の底部に取り付けられた台座と、前記台座の上面に配置され前記挿通孔の下方から挿入されたボルトにより前記台座に固定された連絡板と、前記連絡板に接続された複数の電線とを備えた電線接続構造において、前記挿通孔は前記台座の下面側の大径部と上面側の小径部とを有し、前記小径部内に絶縁部材を配置したことを特徴とする電線接続構造。
【発明の詳細な説明】
【技術分野】
【０００１】
この発明は電線接続構造に係り、特に、筐体内で連絡板により複数の電線を連絡又は分岐させる電線接続構造に関する。
【背景技術】
【０００２】
車両等においては、分散して搭載された複数の電装部品を接続するために、複数の電線を連絡又は分岐させるための電線接続構造を採用している。
従来の電線接続構造には、車両に使用される筐体（ジャンクションボックス）に長尺状の金属板からなる一対の電気接続部を取り付け、この一対の電気接続部の各一端出を筐体内で回路の端子にねじ止めし、前記一対の電気接続部の各他端部に凸部又は凹部を形成する一方、各他端部に接続される電線のターミナルラグに前記凸部及び凹部に嵌合する屈曲部をそれぞれ形成した電線接続構造が知られている（特開平９−３５７９１号公報）。
このような複数の電線を連絡又は分岐させる電線接続構造には、例えば図７に示すものがある。図７に示す電線接続構造１０１は、金属製の筐体１０２（ジャンクションボックス）の内部に樹脂製の台座１０３を取り付け、この台座１０３の上面に配置した導電性の連絡板１０４のナット１０５に台座１０３の下方から挿通孔１０６に挿入したボルト１０７を締め付けて連絡板１０４を台座１０３に固定し、固定された連絡板１０４に電線（図示せず）の端子板１０８をボルト１０９で接続している。なお、図７に示す電線接続構造は、予め台座１０３と連絡板１０４とをボルト１０７で固定した後、台座１０３の下面を筐体１０２の底部１１０に接着して取り付けている。
【先行技術文献】
【特許文献】
【０００３】
【特許文献１】特開平９−３５７９１号公報
【発明の概要】
【発明が解決しようとする課題】
【０００４】
ところで、図７に示す電線接続構造１０１においては、図８に示すように、挿通孔１０６が、台座１０３の下面側の大径部１１１と上面側の小径部１１２とを有して形成され、大径部１１１及び小径部１１２間に段差部１１３を備えている。この電線接続構造１０１は、ボルト１０７の軸部１１４をナット１０５にねじ込んで頭部１１５を段差部１１３に当接させて締め付けている。
電線接続構造１０１は、ボルト１０７の締め付けによって、台座１０３の小径部１１２が変型することを防止するために、挿通孔１０６の小径部１１２内に金属製のカラー１１６を圧入している。
【０００５】
ところが、この電線接続構造１０１は、図９に示すように、振動等によりナット１０５に対して軸部１１４の締め付けが弛んで、ボルト１０７が挿通孔１０６の大径部１１１側に脱落した場合、ボルト１０７の軸部１１４がカラー１１６に接触する一方で頭部１１５が筐体１０２の底部１１０に接触することになる。
このため、電線接続構造１０１は、脱落したボルト１０７が金属製のカラー１１６を介して筐体１０２と連絡板１０４との両方を電気的に接続することになり、矢印に示すように漏電を引き起こす虞がある。
【０００６】
そこで、この発明は、上記の問題に鑑みて成されたものであり、振動等によるボルトの脱落が生じても、漏電を防止できる電線接続構造を提供することを目的とする。
【課題を解決するための手段】
【０００７】
この発明は、複数の電線が接続され当該電線を連絡又は分岐させる電線接続構造であって、上部に開口を有する容器状に形成された筐体と、下面と上面とを挿通する挿通孔を備え前記筐体の底部に取り付けられた台座と、前記台座の上面に配置され前記挿通孔の下方から挿入されたボルトにより前記台座に固定された連絡板と、前記連絡板に接続された複数の電線とを備えた電線接続構造において、前記挿通孔は前記台座の下面側の大径部と上面側の小径部とを有し、前記小径部内に絶縁部材を配置したことを特徴とする。
【発明の効果】
【０００８】
この発明は、台座と連絡板とを固定するボルトが脱落した場合、挿通孔の小径部内に配置した絶縁部材によってボルトが筐体と連絡板との両方を電気的に接続することを回避でき、漏電を防止することができる。
【図面の簡単な説明】
【０００９】
【図１】図１は電線接続構造の斜視図である。（実施例）
【図２】図２は電線接続構造の断面図である。（実施例）
【図３】図３は台座の挿通孔部分の拡大断面図である。（実施例）
【図４】図４はボルト脱落時の台座の挿通孔部分の拡大断面図である。（実施例）
【図５】図５は台座の挿通孔部分の拡大断面図である。（変形例）
【図６】図６はボルト脱落時の台座の挿通孔部分の拡大断面図である。（変形例）
【図７】図７は電線接続構造の断面図である。（従来例）
【図８】図８は台座の挿通孔部分の断面図である。（従来例）
【図９】図９はボルト脱落時の電線接続構造の断面図である。（従来例）
【発明を実施するための形態】
【００１０】
以下、図面に基づいて、この発明の実施例を説明する。
【実施例】
【００１１】
図１〜図４は、この発明の実施例を示すものである。図１において、電線接続構造１は、筐体２と、台座３と、連絡板４と、電線５・６とを備えている。
前記筐体２は、金属製で、２対の対向する辺縁を有する略長四角板形状の底部７と、底部７の幅方向で対向する一方の辺縁に立設した一対の側壁８・９と、底部７の長手方向で対向する他方の辺縁に立設した一対の側壁１０・１１とを備え、上部に開口を有する四角箱の容器状に形成されている。一対の側壁８・９には、それぞれ電線５・６を挿通する電線用孔１２・１３を形成している。
前記台座３は、図２に示すように、樹脂製で、筐体２内に配置可能な略長四角厚板形状に形成されている。台座３は、下面と上面とを挿通する２つの挿通孔１４・１５を備えている。
一方の挿通孔１４は、台座２の長手方向一側で幅方向一側にずらした位置に、下面側の大径部１６と上面側の小径部１７とを有し、大径部１６及び小径部１７間に段差部１８を備えた形状に形成されている。挿通孔１４の小径部１７内には、小径部１７の軸方向全長にわたり金属製のカラー１９を圧入している。このカラー１８内には、軸方向全長にわたり樹脂製の絶縁部材２０を配置している。
他方の挿通孔１５は、台座２の長手方向他側で幅方向他側にずらした位置に、下面側の大径部２１と上面側の小径部２２とを有し、大径部２１及び小径部２２間に段差部２３を備えた形状に形成されている。挿通孔１５の小径部２２内には、小径部２２の軸方向全長にわたり金属製のカラー２４を圧入している。カラー２４内には、軸方向全長にわたり樹脂製の絶縁部材２５を配置している。
前記連絡板４は、金属製で、長手方向中央から一側に延びる一方の取付部２６と、長手方向中央から他側に延びる他方の取付部２７とを有し、一方の取付部２６の中央側と他方の取付部２７の中央側とを幅方向各側に相互にずらした状態で連結して一体に形成している。一方の取付部２６は、長手方向一側の上面に台座固定用のナット２８を設け、長手方向中央側の下面に電線固定用のナット（図示せず）を設けている。他方の取付部２７は、長手方向他側の上面に台座固定用のナット２９を設け、長手方向中央側の下面に電線固定用のナット（図示せず）を設けている。
【００１２】
前記連絡板４は、一方の取付部２６のナット２８を台座３の一方の挿通孔１４に一致させ、他方の取付部２７のナット２９を台座３の他方の挿通孔１５に一致させた状態で、台座３の上面に配置する。
連絡板４を配置した台座３には、一方の挿通孔１４の大径部１６の下方からボルト３０の軸部３１を挿入し、この軸部３１を絶縁部材１９内に通して連絡板４の一方のナット２８にねじ込んで、ボルト３０の頭部３２を挿通孔１４の段差部１８に当接させて締め付ける。また、連絡板４を配置した台座３には、他方の挿通孔１５の大径部２１の下方からボルト３３の軸部３４を挿入し、この軸部３４を絶縁部材２５内に通して連絡板４の他方のナット２９にねじ込んで、ボルト３３の頭部３５を挿通孔１５の段差部２３に当接させて締め付ける。
このように、連絡板４は、台座３の各挿通孔１４・１５の下方から挿入したボルト３０・３３を絶縁部材１９・２５内に通し、それぞれナット２８・２９に締め付けることで、台座３の上面に固定される。連絡板４を固定した台座３は、下面を筐体１の底部４の上面に接着して取り付けられる。
前記電線５・６は、台座３を取り付けた筐体２の電線用孔１２・１３から挿入された先端に、端子板３６・３７を固定している。電線５・６の各端子板３６・３７は、ボルト３８・３９で台座３の上面の連絡板４の各ナットに締め付けることで、連絡板４に接続される。
【００１３】
この電線接続構造１は、図３に示すように、一方の挿通孔１４の小径部１７内に金属製のカラー１９を露出させず、絶縁部材２０を配置している。
これにより、この電線接続構造１は、図４に示すように、振動等によりナット２８に対してボルト３０の軸部３１が弛んで、ボルト３０が挿通孔１４の大径部１６側に脱落した場合、ボルト３０の頭部３２が筐体２の底部７に接触しても、ボルト３０の軸部３１が挿通孔４の小径部１７内に配置した絶縁部材２０によってカラー１９と接触することを防止できる。
このため、この電線接続構造１は、台座３と連絡板４とを固定するボルト３０が脱落した場合、小径部１７内に配置した絶縁部材２０によってボルト３０が筐体２の底部７と連絡板４との両方を電気的に接続することを回避でき、漏電を防止することができる。
なお、図３・図４においては、一方の挿通孔１４内にボルト３０が脱落した場合を例示したが、他方の挿通孔１５内にボルト３３が脱落した場合も同様に、小径部２２内に配置した絶縁部材２５によってボルト３３が筐体２の底部７と連絡板４との両方を電気的に接続することを回避でき、漏電を防止することができる。
また、この実施例においては、カラー１９・２４内の軸方向全長にわたり絶縁部材２０・２５を配置したが、図５・図６に示すように、脱落したボルト３０・３３の各頭部３２・３５が筐体２の底部７に接触した状態で、ボルト３０・３３の各軸部３１・３４がカラー１９・２４と接触しないように小径部１７・２２の下端からの絶縁部材２０・２５の軸方向長さＬを設定すれば、漏電を防止することができる。
さらに、絶縁部材２０・２５は、樹脂製に限らず、セラミックス、ガラス、木材等の導通を遮断する不導体であれば良い。
【産業上の利用可能性】
【００１４】
この発明は、振動等によるボルトの脱落が生じても、漏電を防止できる電線接続構造であり、車両に搭載されたバッテリパック、モータ、充電器、インバータ等の、電装部品の配線接続構造に応用が可能である。
【符号の説明】
【００１５】
１  電線接続構造
２  筐体
３  台座
４  連絡板
５・６  電線
７  底部
１４・１５  挿通孔
１６  大径部
１７  小径部
１９  カラー
２０  絶縁部材
２１  大径部
２２  小径部
２４  カラー
２５  絶縁部材
２６・２７  取付部
２８・２９  ナット
３０  ボルト
３１  頭部
３２  軸部
３３  ボルト
３４  頭部
３５  軸部
３６・３７  端子板
３８・３９  ボルト
【図１】
2014032764.tif 000003
【図２】
2014032764.tif 000004
【図３】
2014032764.tif 000005
【図４】
2014032764.tif 000006
【図５】
2014032764.tif 000007
【図６】
2014032764.tif 000008
【図７】
2014032764.tif 000009
【図８】
2014032764.tif 000010
【図９】
2014032764.tif 000011